(57)【特許請求の範囲】
【請求項１】
テスト信号を発生するテスト信号発生ステップと、前記テスト信号を記憶するテスト信号記憶ステップと、前記テスト信号をスピーカで拡声した音声が壁等の反射で位相遅延してマイクに入力することにより得られるマイク入力音声信号のレベルを多数のスレッショルドレベルと比較して判別するマイク入力音声信号レベル判別ステップと、前記判別されたマイク入力音声信号のレベルと前記テスト信号レベルとに基づいて定まるダウンレベルに応じて前記テスト信号をレベルダウンして前記テスト信号のレベル合わせを行うレベルダウンステップと、レベル合わせされた前記テスト信号に多数種類の位相遅延を与えて多数種類の位相遅延信号を生成する位相遅延ステップと、前記位相遅延信号と前記マイク入力音声信号との位相的一致を判別する一致判別ステップと、前記多数種類の位相遅延信号のうち前記マイク入力音声信号と位相的に一致した位相遅延信号を選択する位相遅延信号選択ステップと、音声入力信号を前記ダウンレベルに応じてレベルダウンする音声入力信号レベルダウンステップと、前記レベルダウンされた前記音声入力信号に対して前記選択された位相遅延信号の位相遅延量を与えて疑似エコー信号を生成する疑似エコー信号生成ステップと、前記音声入力信号をスピーカで拡声した音声が壁等の反射で位相遅延してマイクに入力することにより得られるマイク入力音声信号と前記疑似エコー信号との減算を行う減算ステップとを有するエコーサプレス方法。
【請求項２】
テスト信号を発生するテストトーン回路と、前記テスト信号と音声入力信号とを切り替える切替えスイッチ回路と、前記テスト信号又は前記音声入力信号を一時的に記憶するメモリ回路と、前記テスト信号をスピーカで拡声した音声が壁等の反射で位相遅延してマイクに入力することにより得られるマイク入力音声信号のレベルを多数のスレッショルドレベルと比較して判別する比較回路と、前記判別されたマイク入力音声信号のレベルと前記テスト信号レベルとに基づいて予め定まるダウンレベルに応じて前記音声入力信号をレベルダウンして前記音声入力信号のレベル合わせを行うレベルダウン回路と、前記ダウンレベルにレベルダウンされた前記メモリ回路からのテスト信号に多数種類の位相遅延器による位相遅延を与えて多数種類の位相遅延信号を生成する位相遅延回路と、前記位相遅延信号と前記マイク入力音声信号との位相的一致を判別する一致回路部と、前記多数種類の位相遅延器のうち前記マイク入力音声信号と位相的に一致した位相遅延器を選択すると共に前記レベルダウンされた前記音声入力信号に対して前記選択された位相遅延器による位相遅延量を与えて疑似エコー信号を生成するセレクタ回路と、前記音声入力信号をスピーカで拡声した音声が壁等の反射で位相遅延してマイクに入力することにより得られるマイク入力音声信号と前記疑似エコー信号との減算を行う減算回路とを有するエコーサプレッサ装置。
【請求項３】
テスト信号を発生するテストトーン回路と、前記テスト信号と音声入力信号とを切り替える切替えスイッチ回路と、前記テスト信号又は前記音声入力信号を一時的に記憶するメモリ回路と、前記テスト信号をスピーカで拡声した音声が壁等の反射で位相遅延してマイクに入力することにより得られるマイク入力音声信号のレベルを多数のスレッショルドレベルと比較して判別する比較回路と、前記判別されたマイク入力音声信号のレベルと前記テスト信号レベルとに基づいて予め定まるダウンレベルに応じて前記音声入力信号をレベルダウンして前記音声入力信号のレベル合わせを行うレベルダウン回路と、前記音声入力信号をスピーカで拡声した音声が壁等の反射で位相遅延してマイクに入力することにより得られるマイク入力音声信号に対して多数種類の損失を与える多数種類の損失回路から成る損失回路部と、前記多数種類の損失回路の中から前記ダウンレベルに応じた損失回路を選択するセレクタ回路とを有するエコーサプレッサ装置。
【請求項４】
前記セレクタ回路は前記多数種類の損失回路の中から前記ダウンレベルに応じた損失回路を選択するＣＰＵを有する請求項３記載のエコーサプレッサ装置。
【発明の詳細な説明】
【０００１】
【発明の属する技術分野】
本発明は、テレビ会議システム等に使用されるエコーサプレス方法およびエコーサプレッサ装置に関する。
【０００２】
【従来の技術】
近年、エコーサプレッサ装置は、会議室においてスピーカから会議相手の音声が拡声されるとエコーという現象が起こるので、各会議装置で送受の信号ライン上の音声レベルを比較し、音声レベルの低い信号ライン側に損失回路を挿入して回込みを抑圧するものが主流となっている。
【０００３】
図３は従来のエコーサプレッサ装置のブロック図である。図３において、Ｄ／Ａ変換回路１はデジタル信号をアナログ信号に変換し、スピーカ２は音声信号を音声に変換して拡声し、マイク３は音声を音声信号に変換し、Ａ／Ｄ変換回路４はアナログ信号をデジタル信号に変換し、比較回路２１は受信側の信号ライン上（Ｄ／Ａ変換回路１入力側）の音声入力信号（音声入力データ）と送信側の信号ライン上（Ａ／Ｄ変換回路４の出力側）のマイクの入力音声信号とを比較し、損失回路２２、２４は信号ライン上に挿入されて信号に損失を与え、スイッチ回路２３、２５は損失回路２２、２４に並列接続される。
【０００４】
以上のように構成されたエコーサプレッサ装置について、その動作を説明する。Ｄ／Ａ変換回路１は会議相手の音声入力データをデジタルからアナログに変換し、スピーカ２はアナログ音声信号を音響系に変換して拡声する。会議室で拡声された音声は壁２０等で反射され、エコーとしてマイク３に入力され、また話者の音声もマイク３に入力される。マイク３からの入力音声信号であるマイクの入力音声信号は、Ａ／Ｄ変換回路４にてアナログからデジタルに変換され、比較回路２１にて音声入力側（受信側）の音声入力データとそのレベルが比較される。
【０００５】
比較回路２１での比較の結果、音声入力データのレベルがマイクの入力音声信号のレベルよりも大きい場合は、会議相手が話しており（すなわち話者は話しておらず）、相手の声はスピーカ２から拡声されて会議室内に反響することになる。従って、エコーが発生していると判断して、損失回路２４にてマイクの入力音声信号に対して或る一定の損失が与えられる。また、音声入力データのレベルがマイクの入力音声信号のレベルよりも小さい場合は、エコーが発生していないと判断して、マイクの入力音声信号は、オンとなったスイッチ回路２５により損失回路２４をバイパスし、損失無しに出力される。
【０００６】
次に、話者がマイク３を介して話しをしている場合、マイク３の入力音声信号のレベルが音声入力データのレベルよりも高くなるように設定されている。従って、比較回路２１は送受信側の音声信号レベルを比較するが、送信側の音声信号（マイクの入力音声信号）のレベルが大きいため、受信側の音声信号には損失回路２２にて或る一定の損失が与えられ、会議相手からの音声信号（音声入力データ）のレベルが抑えられ、エコーも抑えられる。話者が話しをしていない場合は会議相手からの音声信号は、オンとなったスイッチ回路２３により損失回路２２がバイパスされ、損失無しに出力される。
【０００７】
【発明が解決しようとする課題】
しかしながら、従来のエコーサプレッサ装置では、会議相手と自分とが同時に話したときのダブルトーク時に会議相手の音声が大きくなったり小さくなったりして聞きづらいという問題点や、損失回路２２、２４において損失を与えるときのスイッチング時に音量変化が生じて不自然であるという問題点を有していた。
【０００８】
このエコーサプレス方法およびエコーサプレッサ装置では、上記ダブルトーク時にも会議相手の音声が聞きやすく、自然な会話を行うことが要求されている。
【０００９】
本発明は、エコーによる音声劣化を防いで自然な会話が可能なエコーサプレス方法、および、エコーによる音声劣化を防いで自然な会話が可能なエコーサプレッサ装置を提供することを目的とする。
【００１０】
【課題を解決するための手段】
この課題を解決するために本発明のエコーサプレス方法は、テスト信号を発生するテスト信号発生ステップと、テスト信号を記憶するテスト信号記憶ステップと、テスト信号をスピーカで拡声した音声が壁等の反射で位相遅延してマイクに入力することにより得られるマイクの入力音声信号のレベルを多数のスレッショルドレベルと比較して判別するマイクの入力音声信号レベル判別ステップと、判別されたマイクの入力音声信号のレベルと記憶されたテスト信号レベルとに基づいて定まるダウンレベルに応じてテスト信号をレベルダウンしてテスト信号のレベル合わせを行うレベルダウンステップと、レベル合わせされたテスト信号に多数種類の位相遅延を与えて多数種類の位相遅延信号を生成する位相遅延ステップと、位相遅延信号とマイクの入力音声信号との位相的一致を判別する一致判別ステップと、多数種類の位相遅延信号のうちマイクの入力音声信号と位相的に一致した位相遅延信号を選択する位相遅延信号選択ステップと、音声入力データを前記ダウンレベルに応じてレベルダウンする音声入力データレベルダウンステップと、レベルダウンされた音声入力データに対して選択された位相遅延信号の位相遅延量を与えて疑似エコー信号を生成する疑似エコー信号生成ステップと、音声入力データをスピーカで拡声した音声が壁等の反射で位相遅延してマイクに入力することにより得られるマイクの入力音声信号と疑似エコー信号との減算を行う減算ステップとを有するように構成したものである。
【００１１】
これにより、エコーによる音声劣化を防いで自然な会話が可能なエコーサプレス方法が得られる。
【００１２】
また、この課題を解決するための本発明のエコーサプレッサ装置は、テスト信号を発生するテストトーン回路と、テスト信号と音声入力データとを切り替える切替えスイッチ回路と、テスト信号又は前記音声入力データを一時的に記憶するメモリ回路と、テスト信号をスピーカで拡声した音声が壁等の反射で位相遅延してマイクに入力することにより得られるマイクの入力音声信号のレベルを多数のスレッショルドレベルと比較して判別する比較回路と、判別されたマイクの入力音声信号のレベルとテスト信号レベルとに基づいて予め定まるダウンレベルに応じて音声入力データをレベルダウンして音声入力データのレベル合わせを行うレベルダウン回路と、ダウンレベルにレベルダウンされたメモリ回路からのテスト信号に多数種類の位相遅延器による位相遅延を与えて多数種類の位相遅延信号を生成する位相遅延回路と、位相遅延信号とマイクの入力音声信号との位相的一致を判別する一致回路部と、多数種類の位相遅延器のうちマイクの入力音声信号と位相的に一致した位相遅延器を選択すると共にレベルダウンされた音声入力データに対して選択された位相遅延器による位相遅延量を与えて疑似エコー信号を生成するセレクタ回路と、音声入力データをスピーカで拡声した音声が壁等の反射で位相遅延してマイクに入力することにより得られるマイクの入力音声信号と疑似エコー信号との減算を行う減算回路とを有するように構成したものである。
【００１３】
これにより、エコーによる音声劣化を防いで自然な会話が可能なエコーサプレッサ装置が得られる。
【００１４】
【発明の実施の形態】
本発明の請求項１に記載の発明は、テスト信号を発生するテスト信号発生ステップと、テスト信号を記憶するテスト信号記憶ステップと、テスト信号をスピーカで拡声した音声が壁等の反射で位相遅延してマイクに入力することにより得られるマイクの入力音声信号のレベルを多数のスレッショルドレベルと比較して判別するマイクの入力音声信号レベル判別ステップと、判別されたマイクの入力音声信号のレベルと記憶されたテスト信号レベルとに基づいて定まるダウンレベルに応じてテスト信号をレベルダウンしてテスト信号のレベル合わせを行うレベルダウンステップと、レベル合わせされたテスト信号に多数種類の位相遅延を与えて多数種類の位相遅延信号を生成する位相遅延ステップと、位相遅延信号とマイクの入力音声信号との位相的一致を判別する一致判別ステップと、多数種類の位相遅延信号のうちマイクの入力音声信号と位相的に一致した位相遅延信号を選択する位相遅延信号選択ステップと、音声入力データを前記ダウンレベルに応じてレベルダウンする音声入力データレベルダウンステップと、レベルダウンされた音声入力データに対して選択された位相遅延信号の位相遅延量を与えて疑似エコー信号を生成する疑似エコー信号生成ステップと、音声入力データをスピーカで拡声した音声が壁等の反射で位相遅延してマイクに入力することにより得られるマイクの入力音声信号と疑似エコー信号との減算を行う減算ステップとを有することとしたものであり、マイクの入力音声信号に含まれるエコー成分が疑似エコー信号により除去されるという作用を有する。
【００１５】
請求項２に記載の発明は、テスト信号を発生するテストトーン回路と、テスト信号と音声入力データとを切り替える切替えスイッチ回路と、テスト信号又は前記音声入力データを一時的に記憶するメモリ回路と、テスト信号をスピーカで拡声した音声が壁等の反射で位相遅延してマイクに入力することにより得られるマイクの入力音声信号のレベルを多数のスレッショルドレベルと比較して判別する比較回路と、判別されたマイクの入力音声信号のレベルとテスト信号レベルとに基づいて予め定まるダウンレベルに応じて音声入力データをレベルダウンして音声入力データのレベル合わせを行うレベルダウン回路と、ダウンレベルにレベルダウンされたメモリ回路からのテスト信号に多数種類の位相遅延器による位相遅延を与えて多数種類の位相遅延信号を生成する位相遅延回路と、位相遅延信号とマイクの入力音声信号との位相的一致を判別する一致回路部と、多数種類の位相遅延器のうちマイクの入力音声信号と位相的に一致した位相遅延器を選択すると共にレベルダウンされた音声入力データに対して選択された位相遅延器による位相遅延量を与えて疑似エコー信号を生成するセレクタ回路と、音声入力データをスピーカで拡声した音声が壁等の反射で位相遅延してマイクに入力することにより得られるマイクの入力音声信号と疑似エコー信号との減算を行う減算回路とを有することとしたものであり、マイクの入力音声信号に含まれるエコー成分が疑似エコー信号により除去されるという作用を有する。
【００１６】
請求項３に記載の発明は、テスト信号を発生するテストトーン回路と、テスト信号と音声入力データとを切り替える切替えスイッチ回路と、テスト信号又は音声入力データを一時的に記憶するメモリ回路と、テスト信号をスピーカで拡声した音声が壁等の反射で位相遅延してマイクに入力することにより得られるマイクの入力音声信号のレベルを多数のスレッショルドレベルと比較して判別する比較回路と、判別されたマイクの入力音声信号のレベルとテスト信号レベルとに基づいて予め定まるダウンレベルに応じて音声入力データをレベルダウンして音声入力データのレベル合わせを行うレベルダウン回路と、音声入力データをスピーカで拡声した音声が壁等の反射で位相遅延してマイクに入力することにより得られるマイクの入力音声信号に対して多数種類の損失を与える多数種類の損失回路から成る損失回路部と、多数種類の損失回路の中からダウンレベルに応じた損失回路を選択するセレクタ回路とを有することとしたものであり、マイクの入力音声信号に対して音声入力データのダウンレベルに応じた損失が与えられるという作用を有する。
【００１７】
請求項４に記載の発明は、請求項３に記載の発明において、セレクタ回路は多数種類の損失回路の中からダウンレベルに応じた損失回路を選択するＣＰＵを有することとしたものであり、マイクの入力音声信号に対する損失量がＣＰＵによりソフトウェアで制御されるという作用を有する。
【００１８】
以下、本発明の実施の形態について、図１、図２を用いて説明する。
（実施の形態１）
図１は、本発明の一実施の形態によるエコーサプレッサ装置を示すブロック図である。図１において、Ｄ／Ａ変換回路１、スピーカ２、マイク３、Ａ／Ｄ変換回路４は図３と同様のものなので、説明は省略する。テストトーン回路５はテスト信号を発生し、切替えスイッチ回路６はテストトーン回路５からのテスト信号と会議相手側から入力される音声入力データとを切り替える。メモリ回路７は音声入力データ又はテスト信号を一時的に記憶し、多数（ｎ）の比較器１〜ｎから成る比較回路８はマイク３から入力される入力音声信号のレベルを比較器の数に応じたｎ個のスレッショルドレベルで比較して判別し、レベルダウン回路９は、比較回路８で判別されたマイクの入力音声信号のレベルとメモリ回路７に記憶されたテスト信号又は音声入力データのレベルとに基づいて、テスト信号又は音声入力データのレベル合わせを行う。
【００１９】
次に、多数（ｎ）の位相遅延器（ディレイ）１〜ｎから成る位相遅延回路１０はレベル合わせされたテスト信号又は音声入力データを多数（ｎ）の位置遅延レベルに変換し、多数（ｎ）の一致回路１〜ｎから成る一致回路部１１は、スピーカで拡声され、壁等の反射で位相遅延してマイク３に入力されたエコー信号と位相遅延回路１０からの多数（ｎ）の位相遅延信号との一致を位相の一致で判別する。こうしてレベル一致と位相一致を判別した後、セレクタ回路１２は一致回路部１１における判別結果を示す判別信号に基づいて位相遅延信号つまり位相遅延器を選択し、減算回路１３はセレクタ回路１２で選択された位相遅延信号（疑似エコー信号）とマイクの入力音声信号との減算を行う。
【００２０】
以上のように構成されたエコーサプレッサ装置について、その設定動作およびサプレッサ動作を説明する。まず設定動作について説明する。設定動作は、レベルダウン回路９におけるテスト信号又は音声入力データのダウンレベルを設定するための動作と、セレクタ回路１２での位相遅延器を選択する動作とがある。テレビ会議を行うに際して、そのつど使用環境は変化するため、最初に切替えスイッチ回路６をテストトーン回路５側に切り替え、１ｋＨｚのテストトーン（テスト信号）を発生する（テスト信号発生ステップ）。このテスト信号はＤ／Ａ変換回路１、スピーカ２を経て、会議室で拡声され、その会議室の環境（例えば壁２０）による位相遅延されたエコー信号となってマイク３に入力され、エコーによるマイクの入力音声信号となる。また、テスト信号はメモリ回路７に記憶される（テスト信号記憶ステップ）。エコーによるマイクの入力音声信号は、Ａ／Ｄ変換回路４にてデジタル信号に変換される。デジタル変換されたエコーによるマイクの入力音声信号のレベルは比較回路８にてｎ個のスレッショルドレベルと比較され、判別される（マイクの入力音声信号レベル判別ステップ）。比較判別されたエコーによるマイクの入力音声信号のレベルｙとメモリ回路７に記憶された原信号（テスト信号）のレベルｘにより、メモリ回路７から出力されるテスト信号に対して、レベルダウン回路９にてｙ／ｘのレベル合わせが行われる（レベルダウンステップ）。つまりテスト信号のレベルはレベルｙとなる。ｙ／ｘのレベル合わせとは壁等の反射によるレベルダウンを疑似的に行うものであり、テスト信号に対するダウンレベルｙ／ｘによるレベルダウンである。レベル合わせされたテスト信号は位相遅延回路１０にてｎ個の位相遅延レベルのテスト信号（位相遅延テスト信号）に変換される（位相遅延ステップ）。ｎ個の位相遅延テスト信号は一致回路部１１に入力され、エコーによるマイクの入力音声信号と位相の一致が判別される（一致判別ステップ）。判別結果を示す一致回路部１１からの判別信号に基づいて、セレクタ回路１２はｎ個の位相遅延テスト信号から一つの位相遅延テスト信号を選択、つまり１つの位相遅延器を選択する（位相遅延信号選択ステップ）。選択された位相遅延器から出力される位相遅延テスト信号は疑似エコー信号であり、減算回路１３においてエコーによるマイクの入力音声信号との減算が行われる。
【００２１】
次に、サプレッサ動作について説明する。サプレッサ動作においては切替えスイッチ回路６は音声入力データの入力端子側に切り替えられ、Ｄ／Ａ変換回路１およびメモリ回路７に音声入力データが入力される。メモリ回路７に記憶された音声入力データは直ちにレベルダウン回路９に出力される。レベルダウン回路９に入力された音声入力データは、テスト信号により予め定められたダウンレベルにレベルダウンされる（音声入力データレベルダウンステップ）。レベルダウンされた音声入力データは、テスト信号に基づいてセレクタ回路１２により予め選択された位相遅延器において位相遅延レベルに変換され、疑似エコー信号となり（疑似エコー信号生成ステップ）、減算回路１３に入力される。減算回路１３において、疑似エコー信号とエコーを含むマイクの入力音声信号との減算が行われ（減算ステップ）、マイクの入力音声信号に含まれるエコー成分は疑似エコー信号により消去される。
【００２２】
以上のように本実施の形態によれば、音声入力データをスピーカで拡声した音声が壁等の反射で位相遅延してマイクに入力することにより得られるマイクの入力音声信号に含まれるエコー成分が音声入力データを処理して生成した疑似エコー信号により消去されるので、エコーによる音声劣化を防いで自然な会話が可能となる。
【００２３】
（実施の形態２）
図２は、本発明の第２の実施の形態によるエコーサプレッサ装置を示すブロック図である。図２において、Ｄ／Ａ変換回路１、スピーカ２、マイク３、Ａ／Ｄ変換回路４は図３と同様のものであり、テストトーン回路５、切替えスイッチ回路６、メモリ回路７、比較回路８、レベルダウン回路９は図１と同様のものなので、説明は省略する。多数ｎの損失回路から成る損失回路部１４は選択された損失回路においてマイクの入力音声信号に損失レベルを与え、セレクタ回路１５はレベルダウン回路９からのダウンレベルに基づいて損失回路部１４の損失回路を選択する。なお、ＣＰＵ（中央処理部）１６は本実施の形態では使用されない。
【００２４】
以上のように構成されたエコーサプレッサ装置について、その設定動作およびサプレッサ動作を説明する。まず設定動作について説明する。設定動作は、レベルダウン回路９におけるテスト信号又は音声入力データのダウンレベルを設定するための動作である。テレビ会議を行うに際して、そのつど使用環境は変化するため、最初に切替えスイッチ回路６をテストトーン回路５側に切り替え、１ｋＨｚのテストトーン（テスト信号）を発生する。このテスト信号はＤ／Ａ変換回路１、スピーカ２を経て、会議室で拡声され、その会議室の環境（例えば壁２０）による位相遅延されたエコー信号となってマイク３に入力され、エコーによるマイクの入力音声信号となる。また、テスト信号はメモリ回路７に記憶される。
【００２５】
エコーによるマイクの入力音声信号は、Ａ／Ｄ変換回路４にてデジタル信号に変換される。デジタル変換されたエコーによるマイクの入力音声信号のレベルは比較回路８にてｎ個のスレッショルドレベルと比較され、判別される。比較判別されたエコーによるマイクの入力音声信号のレベルｙとメモリ回路７に記憶された原信号（テスト信号）のレベルｘとにより、ダウンレベルｙ／ｘが決定される。セレクタ回路１５はレベルダウン回路９のダウンレベルｙ／ｘに基づいて多数ｎの損失回路から一つの損失回路を選択し、その損失回路から出力される信号を音声出力信号（音声出力データ）として出力する。こうして、会議相手が話している音声入力データのレベルｘに対して、スピーカ２で拡声され会議室の反響としてマイク入力されたエコーのレベルｙが求められる。
【００２６】
次に、サプレッサ動作について説明する。サプレッサ動作においては切替えスイッチ回路６は音声入力データの入力端子側に切り替えられ、Ｄ／Ａ変換回路１およびメモリ回路７に音声入力データが入力される。一方、エコー信号を含むマイクの入力音声信号は、損失回路部１４に入力され、予めダウンレベルｙ／ｘに基づいて選択された損失回路で損失を与えられ、つまりレベルダウンされ、セレクタ回路１５を経由して音声出力信号として出力される。こうして、話者が話していないことからエコーレベルに対して大きな損失を与えてエコーを抑制することができる。
【００２７】
以上のように本実施の形態によれば、音声入力データをスピーカで拡声した音声が壁等の反射で位相遅延してマイクに入力することにより得られるマイクの入力音声信号に含まれるエコー成分がダウンレベルに基づく損失回路によりレベル低減されるので、エコーによる音声劣化を防いで自然な会話が可能となる。
【００２８】
（実施の形態３）
本発明の第３の実施の形態によるエコーサプレッサ装置は図２と略同じであるが、ＣＰＵ１６がセレクタ回路１５に付加されている点が異なる。
【００２９】
このような構成のエコーサプレッサ装置について、その動作を説明する。本実施の形態においては、セレクタ回路１５およびＣＰＵ１６を除いた部分の動作は実施の形態２と同様であるので、セレクタ回路１５、ＣＰＵ１６の動作のみを説明する。上述したように、ＣＰＵ１６は、セレクタ回路１５に付加される構成要素であり、予め設定されたレベルダウン回路９のダウンレベルに基づいて損失回路部１４のｎ個の損失回路から１つの損失回路を選択する。すなわち、ＣＰＵ１６は実施の形態２で述べたセレクタ回路１５の選択動作をソフトウェアで行うものであり、動作変更等に対しては柔軟に対応することが可能で、また数値等の調整が容易である。
【００３０】
以上のように本実施の形態によれば、予め設定されたダウンレベルに基づいて損失回路部１４のｎ個の損失回路から１つの損失回路を選択することをソフトウェアで行うようにしたので、動作変更等に対しては柔軟に対応することが可能で、また数値等の調整が容易である。
【００３１】
【発明の効果】
以上のように本発明のエコーサプレス方法によれば、音声入力データをスピーカで拡声した音声が壁等の反射で位相遅延してマイクに入力することにより得られるマイクの入力音声信号に含まれるエコー成分が音声入力データを処理して生成した疑似エコー信号により消去されるので、エコーによる音声劣化を防いで自然な会話が可能となるという有利な効果が得られる。
【００３２】
また、本発明のエコーサプレッサ装置によれば、音声入力データをスピーカで拡声した音声が壁等の反射で位相遅延してマイクに入力することにより得られるマイクの入力音声信号に含まれるエコー成分が音声入力データを処理して生成した疑似エコー信号により消去されるので、エコーによる音声劣化を防いで自然な会話が可能となるという有利な効果が得られる。また、音声入力データをスピーカで拡声した音声が壁等の反射で位相遅延してマイクに入力することにより得られるマイクの入力音声信号に含まれるエコー成分が反射によるレベルダウンに応じた損失回路によりレベル低減されるので、エコーによる音声劣化を防いで自然な会話が可能となると共に、マイクの入力音声信号の処理を行うのは損失回路のみであり、構成が簡単であるという有利な効果が得られる。さらに、ソフトウェアにより損失回路の選択を行うようにしたので、動作変更等に対しては柔軟に対応することが可能で、また数値等の調整が容易であるという有利な効果が得られる。
【図面の簡単な説明】
【図１】本発明の一実施の形態によるエコーサプレッサ装置を示すブロック図
【図２】本発明の第２の実施の形態および第３の実施の形態によるエコーサプレッサ装置を示すブロック図
【図３】従来のエコーサプレッサ装置のブロック図
【符号の説明】
１  Ｄ／Ａ変換回路
２  スピーカ
３  マイク
４  Ａ／Ｄ変換回路
５  テストトーン回路
６  切替えスイッチ回路
７  メモリ回路
８  比較回路
９  レベルダウン回路
１０  位相遅延回路
１１  一致回路部
１２、１５  セレクタ回路
１３  減算回路
１４  損失回路部
１６  ＣＰＵ
２０  壁
【図１】
0003601164.tif 000002
【図２】
0003601164.tif 000003
【図３】
0003601164.tif 000004